(57)【要約】【課題】  本体測定装置と別体装置から成る血圧測定装置において両装置間の無線通信に消費されるエネルギを効率的に抑制することにより全体の消費エネルギを抑制する。【解決手段】  本体測定装置１と、本体測定装置１とは分離して使用可能な別体装置２とから成る血圧測定装置である。本体測定装置１には、カフ３の加圧ポンプや、制御手段や、通信手段１１を備える。別体装置２には、無線通信を行う通信手段１２や表示部１３を備える。本体測定装置１に電源スイッチ１０を備え、両装置１，２の電源オフ時に電源スイッチ１０を操作して本体測定装置１の電源オンにすれば通信手段１１からオン信号を発信し、オン信号を受信した別体装置２は電源オンとなる。本体測定装置１から発信するオン信号は、電源スイッチ１０を操作する時間よりも長時間継続して発信するものとする。【選択図】図１
2008148766.tif 000002
【特許請求の範囲】
【請求項１】
本体測定装置と、本体測定装置とは分離して使用可能な別体装置とから成り、本体測定装置には、阻血用のカフを加圧する加圧手段と、加圧手段を用いて血圧を測定する制御手段と、無線通信用の通信手段とを備え、且つ別体装置には、本体測定装置の通信手段との間で無線通信を行う通信手段と、無線通信で受信したデータを表示する表示部及び無線通信で本体測定装置を操作する本体操作部の両方又は一方を備えて成る血圧測定装置であって、本体測定装置と別体装置の少なくとも一方の装置に電源スイッチを備え、両装置の電源オフ時に一方の装置にて電源スイッチを操作して電源オンにすれば、一方の装置の通信手段からオン信号を発信し、オン信号を受信した他方の装置は電源オンにするものであり、且つ一方の装置から発信されるオン信号は、電源スイッチを操作する時間よりも長時間継続して発信されるものであることを特徴とする血圧測定装置。
【請求項２】
本体測定装置と、本体測定装置とは分離して使用可能な別体装置とから成り、本体測定装置には、阻血用のカフを加圧する加圧手段と、加圧手段を用いて血圧を測定する制御手段と、無線通信用の通信手段とを備え、且つ別体装置には、本体測定装置の通信手段との間で無線通信を行う通信手段と、無線通信で受信したデータを表示する表示部及び無線通信で本体測定装置を操作する本体操作部の両方又は一方を備えて成る血圧測定装置であって、本体測定装置と別体装置の少なくとも一方の装置に電源スイッチを備え、両装置の電源オフ時に一方の装置にて電源スイッチを操作して電源オンにすれば、一方の装置の通信手段からオン信号を継続して発信し、オン信号を受信した他方の装置は電源オンにするとともに認識信号を発信し、一方の装置は認識信号を受信した時点でオン信号の発信を終了するものであることを特徴とする血圧測定装置。
【発明の詳細な説明】
【技術分野】
【０００１】
本発明は、生体の被測定部位にカフを装着して血圧測定を行う血圧測定装置に関するものである。
【背景技術】
【０００２】
従来から、上腕等の被測定部位にカフを装着して血圧を測定する血圧測定装置として、カフを用いた血圧測定動作を行う本体測定装置と、この本体測定装置とは分離して使用可能な別体装置とから成るものが提案されている。例えば特許文献１に開示される血圧測定装置においては、本体測定装置側には、阻血用のカフを加圧するポンプから成る加圧手段と、加圧手段を用いてカフの圧力を調整しながら血圧を測定する制御手段と、無線通信用の通信手段とが備えてある。また別体装置側には、本体測定装置の通信手段との間で無線通信を行う通信手段と、無線通信で受信したデータを表示する表示部と、無線通信で本体測定装置を操作する本体操作部とが備えてある。
【０００３】
上記構成の血圧測定装置においては、本体測定装置や別体装置（特に携行可能な別体装置）をできる限り小型化及び小重量化されることが好ましい。しかし、本体測定装置と別体装置にはそれぞれ電池等の専用の電力供給部を備える必要があり、無線通信にエネルギが消費されることから、電力供給部を小型化すれば使用可能回数が少なくなるという問題が生じる。この問題を解決するためには、無線通信に要するエネルギを効率的に抑制することが必要となる。
【特許文献１】特開２００６−２０４５４３号公報
【発明の開示】
【発明が解決しようとする課題】
【０００４】
本発明は上記問題点に鑑みて発明したものであって、本体測定装置と別体装置から成る血圧測定装置において両装置間の無線通信に消費されるエネルギを効率的に抑制することにより、全体の消費エネルギを抑制し、使用可能回数を減らすことなく装置の小型化及び小重量化を図ることを課題とするものである。
【課題を解決するための手段】
【０００５】
上記課題を解決するための本発明は、本体測定装置１と、本体測定装置１とは分離して使用可能な別体装置２とから成り、本体測定装置１には、阻血用のカフ３を加圧する加圧手段５と、加圧手段５を用いて血圧を測定する制御手段８と、無線通信用の通信手段１１とを備え、且つ別体装置２には、本体測定装置１の通信手段１１との間で無線通信を行う通信手段１２と、無線通信で受信したデータを表示する表示部１３及び無線通信で本体測定装置１を操作する本体操作部２０の両方又は一方を備えて成る血圧測定装置であって、本体測定装置１と別体装置２の少なくとも一方の装置１（２）に電源スイッチ１０（１７）を備え、両装置１，２の電源オフ時に一方の装置１（２）にて電源スイッチ１０（１７）を操作して電源オンにすれば、一方の装置１（２）の通信手段１１（１２）からオン信号を発信し、オン信号を受信した他方の装置２（１）は電源オンにするものであり、且つ一方の装置１（２）から発信されるオン信号は、電源スイッチ１０（１７）を操作する時間よりも長時間継続して発信されるものである。
【０００６】
上記構成の血圧測定装置によれば、実際の血圧測定動作を行う本体測定装置１とは分離して使用可能な別体装置２側に表示部１３や本体操作部２０を備えているので、被測定者は使用し易い位置に配置した別体装置２を用いながら血圧測定を行うことができる。また、測定データを別体装置２に記憶させておけば、測定後に別体装置２だけを医療機関等に携行することができる。
【０００７】
そして上記構成の血圧測定装置にあっては、一方の装置１（２）から発信されるオン信号を、電源スイッチ１０（１７）を操作する時間よりも長時間継続して発信されるように設けているので、電源オフ状態にある他方の装置２（１）においては微小時間の電源オンを繰り返す所定周期を長く設定することが可能となる。これにより消費電力が抑制されて省エネルギ化が図られ、専用の電源部も小型化及び小重量化することができる。即ち、使用可能回数を減らすことなく装置の小型化及び小重量化を図ることが可能となる。なお、本発明においてオン信号を発信することのできる装置が、本体測定装置１と別体装置２の両方であってもよいし、或いは本体測定装置１又は別体装置２だけであってもよいことは勿論である。
【０００８】
また、上記課題を解決するための本発明は、本体測定装置１と、本体測定装置１とは分離して使用可能な別体装置２とから成り、本体測定装置１には、阻血用のカフ３を加圧する加圧手段５と、加圧手段５を用いて血圧を測定する制御手段８と、無線通信用の通信手段１１とを備え、且つ別体装置２には、本体測定装置１の通信手段１１との間で無線通信を行う通信手段１２と、無線通信で受信したデータを表示する表示部１３及び無線通信で本体測定装置１を操作する本体操作部２０の両方又は一方を備えて成る血圧測定装置であって、本体測定装置１と別体装置２の少なくとも一方の装置１（２）に電源スイッチ１０（１７）を備え、両装置１，２の電源オフ時に一方の装置１（２）にて電源スイッチ１０（１７）を操作して電源オンにすれば、一方の装置１（２）の通信手段１１（１２）からオン信号を継続して発信し、オン信号を受信した他方の装置２（１）は電源オンにするとともに認識信号を発信し、一方の装置１（２）は認識信号を受信した時点でオン信号の発信を終了するものであってもよい。
【０００９】
上記構成の血圧測定装置においても、実際の血圧測定動作を行う本体測定装置１とは分離して使用可能な別体装置２側に表示部１３や本体操作部２０を備えているので、被測定者は使用し易い位置に配置した別体装置２を用いながら血圧測定を行うことができる。また、測定データを別体装置２に記憶させておけば、測定後に別体装置２だけを医療機関等に携行することができる。
【００１０】
そして上記構成の血圧測定装置にあっては、一方の装置１（２）の通信手段１１（１２）からはオン信号を継続して発信させておき、他方の装置２（１）はオン信号を受信した時点で電源オンにするとともに認識信号を発信し、一方の装置１（２）は認識信号を受信した時点でオン信号の発信を終了するように設けているので、電源オフ状態にある他方の装置２（１）においては微小時間の電源オンを繰り返す所定周期を長く設定することが可能となる。しかも、オン信号を発信する一方の装置１（２）においても、他方の装置２（１）が電源オンとなった時点でオン信号の発信を終了することとなるので、無駄な消費電力が抑制される。これにより省エネルギ化が図られ、両装置１，２において専用の電源部を小型化及び小重量化することができる。即ち、使用可能回数を減らすことなく装置の小型化及び小重量化を図ることが可能となる。なお、本発明においてオン信号を発信することのできる装置が、本体測定装置１と別体装置２の両方であってもよいし、或いは本体測定装置１又は別体装置２だけであってもよいことは勿論である。
【発明の効果】
【００１１】
本発明は、本体測定装置と別体装置から成る血圧測定装置において両装置間の無線通信に消費されるエネルギを効率的に抑制することにより、全体の消費エネルギを抑制し、使用可能回数を減らすことなく装置の小型化及び小重量化を図ることができるという効果を奏する。
【発明を実施するための最良の形態】
【００１２】
以下、本発明を添付図面に示す実施形態に基づいて説明する。図１は本発明の実施形態における一例の血圧測定装置全体の外観図であり、図２は一例の血圧測定装置全体のブロック図である。図示のように、本例の血圧測定装置は、阻血用のカフ３を一体に備えてある本体測定装置１と、本体測定装置１とは分離して使用可能な別体装置２とから構成されている。
【００１３】
本体測定装置１には、被測定者の上腕を挿通させるための挿通孔４を貫設してあり、この挿通孔４の内周面にカフ３を装着してある。更に本体測定装置１には、カフ３にエアを送り込む加圧ポンプから成る加圧手段５と、カフ３からの排気を制御する排気弁６と、カフ３の圧力を検知する圧力センサ７と、外部から血圧測定動作の指示を与えるための本体操作部１９と、本体操作部１９からの指示や圧力センサ７で検知されるカフ３の圧力に基づいて加圧手段５と排気弁６とを制御し、カフ３の圧力を調整しながら血圧を測定する本体回路から成る制御手段８とが備えてある。制御手段８を成す本体回路は、血圧計算処理等を行うＣＰＵを有するものであり、本体測定装置１専用の電力供給手段である電源部９と、電源のオンオフを指示する電源スイッチ１０と、無線通信用の通信手段１１とが接続させてある。なお、カフ３についてはパイプ等を介して本体測定装置１とは別体に備えてあってもよい。
【００１４】
別体装置２には、本体測定装置１の通信手段１１との間で無線通信を行う通信手段１２と、液晶画面から成る表示部１３と、データを記憶させておく不揮発性の記憶部１４と、通信手段１１，１２間の無線通信により受信した各種の測定データ（例えば圧力値、血圧値、脈拍値等）を表示部１３に表示させるとともに記憶部１４に記憶させておく別体回路から成る制御手段１５が備えてある。制御手段１５を成すに別体回路は、別体装置２専用の電力供給手段である電源部１６と、電源のオンオフを指示する電源スイッチ１７と、表示部１３の表示内容の切り替えを指示する表示操作部１８とが接続させてある。
【００１５】
上記構成の血圧測定装置を用いて血圧測定を行うには、被測定者は自らの腕を本体測定装置１の挿通孔４内に通し、カフ３が上腕に当たる位置で姿勢を保持したうえで、まず本体測定装置１に備えてある電源スイッチ１０を押下する。電源スイッチ１０の操作により本体測定装置１は電源オンとなり、スイッチ操作と同時に通信手段１１からオン信号を継続的に発信させる（図３参照）。ここで、電源オフ状態にある別体装置２においては所定周期Ｐで微小時間の電源オンを繰り返しており、電源オンとなったときにその通信手段１２にてオン信号を受信すれば、そのまま電源オンを継続する（図３中の鎖線）ようになっている。
【００１６】
そして、最初は共に電源オフの状態にあった本体測定装置１と別体装置２とが共に電源オンとなった状態で、血圧測定動作が開始される。なお図４（ａ）に示すように、本例においては本体測定装置１の電源スイッチ１０を押下すれば自動的に血圧測定動作が開始されるように設定してあり、電源スイッチ１０自体が本体操作部としての機能も果たすようになっているが、血圧測定動作を開始する際に改めて本体操作部１９の操作を要する構成であっても構わない。血圧測定動作により得られた測定データは、本体測定装置１の通信手段１１から別体装置２の通信手段１２へと無線通信され、別体装置２は受信した測定データを表示部１３に表示させるとともに、記憶部１４内に記憶させておく。
【００１７】
測定完了後は、本体測定装置１の電源スイッチ１０を再度押下すればよい。これにより通信手段１１からオフ信号を発信させるとともに本体測定装置１は電源オフとし、別体装置２においては、通信手段１２でオフ信号を受信した時点で電源オフとするように設けている。
【００１８】
別体装置２だけを医療機関等に携行する場合には、電源オフ状態のまま携行したうえで必要時に別体装置２の電源スイッチ１７を押下すればよい。これにより、図４（ｂ）に示すように別体装置２が電源オンになるとともに、記憶部１４に記憶させてある測定データが表示部１３に表示される。なお、測定データを表示して３０秒が経過すれば自動的に電源オフとなるように設けているが、電源スイッチ１７を再度押下するまで電源オンを継続するものであってもよい。
【００１９】
上記したように、本例の血圧測定装置にあっては、実際の血圧測定動作を行う本体測定装置１とは分離して使用可能な別体装置２側に表示部１３を備えているので、被測定者は見やすい位置に配した表示部１３を見ながら血圧測定を行うことができ、測定後はデータを記憶させてある別体装置２だけを携行することができる。また、血圧測定動作に関する適宜指示を入力する本体操作部１９は本体測定装置１側に配し、無線通信では本体測定装置１から別体装置２へのオン信号及びオフ信号の発信と、測定データの発信だけを行うように設けているので、通信手段１１，１２としては本体測定装置１から別体装置２に向けてのみ送受信を行う一方向通信機能を有していればよい。したがって、通信手段１１，１２自体の小型化及び小重量化が可能であるとともに、無線通信時の消費電力も抑制されるので、蓄電池や乾電池から成る電源部９，１６も小型化及び小重量化が可能となる。
【００２０】
そして、本例の血圧測定装置にあっては図３に示すように、本体測定装置１の通信手段１１から発信されるオン信号は、電源スイッチ１０を押下した時点で発信を開始するとともに押下している間は発信を継続し、且つ電源スイッチ１０を離して押下が解除された後も一定時間Ｔ２（例えば数百ミリ秒）は発信が継続されるように設定している。これにより、電源オフ状態の別体装置２において微小時間の電源オンを繰り返す所定周期Ｐを長く設定することができ、別体装置２側の消費電力が抑制されることで電源部１６の更なる小型化及び小重量化を測ることが可能となる。なお、別体装置２側の所定周期Ｐは、オン信号が発信される時間（即ち、電源スイッチ１０を押下する時間Ｔ１よりも一定時間Ｔ２だけ長時間となる時間）を超えない適当な周期に設定してあれば、オン信号発信中に少なくとも１回は受信可能となる。
【００２１】
次に、本発明の実施形態における他例の血圧測定装置について説明するが、上記した一例と同様の構成については詳しい説明を省略し、一例とは相違する特徴的な構成についてのみ以下に詳述する。本例にあっては、本体測定装置１と別体装置２との間で無線通信を行う通信手段１１，１２としては、双方向に送受信を行う双方向通信機能を有するものを用いている。
【００２２】
図５に示すように、本体測定装置１と別体装置２が共に電源オフ状態にある場合、別体装置２にあっては所定周期Ｐで微小時間の電源オンを繰り返している。ここで、本体測定装置１に備えてある電源スイッチ１０を押下すれば、電源スイッチ１０の操作により本体測定装置１は電源オンになるとともに、電源スイッチ１０を操作した時点から継続してオン信号が発信される。そして、別体装置２において所定周期Ｐで電源オンとなった際に通信手段１２でオン信号を受信すると、そのまま電源オンを継続して別体装置２を電源オン状態にする（図５中の鎖線）とともに、今度は別体装置２の通信手段１２から認識信号を発信する。この認識信号を、既に電源オン状態にある本体測定装置１が通信手段１１で受信すると、その時点で本体測定装置１はオン信号の発信を終了するように設けている。
【００２３】
このように、本体測定装置１から発信されるオン信号は認識信号を受信するまで継続して発信されるので、電源オフ状態の別体装置２においては微小時間の電源オンを繰り返す所定周期Ｐを長く設定することが可能となる。しかも、本体測定装置１においても、別体装置２が電源オンとなった時点で速やかにオン信号の発信を終了するので無駄な消費電力が抑制される。即ち、本体測定装置１と別体装置２の両方において消費電力を抑制し、互いの電源部９，１６を小型化及び小重量化することが可能となる。
【００２４】
次に、上記した一例や他例の血圧測定装置の更なる変形例について説明するが、一例や他例と同様の構成については詳しい説明を省略し、特徴的な構成についてのみ以下に述べる。
【００２５】
図６（ａ）には、別体装置２側にのみ電源スイッチ１７を備え、本体測定装置１と別体装置２が共に電源オフ状態にあるときに別体装置２にて電源スイッチ１７を操作して電源オンにすれば、別体装置２の通信手段１２からオン信号を発信し、通信手段１１にてオン信号を受信した本体測定装置１が電源オンとなるように設けた変形例を示している。また、別体装置２には本体測定装置１の血圧測定動作を指示する本体操作部２０を備えており、通信手段１１，１２を介して本体測定装置１側に測定開始等の適宜指示を送ることも可能となっている。
【００２６】
この変形例においても一例や他例と同様に、別体装置２から発信されるオン信号は、電源スイッチ１７を操作する時間よりも長時間継続して発信されるものとする。更に、他例と同様に、別体装置２にて電源スイッチ１７を操作して電源オンにすれば通信手段１２からはオン信号を継続して発信し、オン信号を受信した本体測定装置１は電源オンになるとともに認識信号を発信し、別体装置２は認識信号を受信した時点でオン信号の発信を終了するものとしてもよい。
【００２７】
また図６（ｂ）には、本体測定装置１側にも測定データを表示する表示部２１を設けた変形例を示している。この変形例にあっては、共に電源オフ状態にある本体測定装置１と別体装置２のどちらの電源スイッチ１０（１７）を操作して電源オンにした場合でも、これと連動して他方も電源オンとなるように設けている。即ち、電源オンとした側の通信手段１１（１２）からオン信号を発信し、オン信号を受信した他方の装置２（１）が電源オンとなるように設けている。この変形例においても一例や他例と同様に、発信されるオン信号はスイッチ操作の時間よりも長時間継続して発信されるものとする。また、他例と同様に、電源オンとした側の通信手段１１（１２）からはオン信号を継続して発信し、オン信号を受信した装置２（１）は電源オンにするとともに認識信号を発信し、オン信号を発信する装置１（２）は認識信号を受信した時点で発信を終了するものとしてもよい。
【００２８】
更に図６（ｃ）には、本体測定装置１に測定データを表示する表示部２１を設けるとともに、別体装置２には表示部１３を設けない変形例を示している。即ち別体装置２には、本体測定装置１の血圧測定動作を指示する本体操作部２０と、電源スイッチ１７と、通信手段１２を配している。この変形例にあっても図６（ｂ）の変形例と同様に、共に電源オフ状態にある本体測定装置１と別体装置２のどちらの電源スイッチ１０（１７）を操作して電源オンにしても、オン信号の発信により他方も電源オンとなるように設けている。なお、オン信号を発信する側の装置を一方だけに限定しても構わない。
【００２９】
次に、また別の変形例について説明する。この変形例は、図７（ａ）に示すように、別体装置２における表示部１３を、テーブル等の上に置かれる載置面Ｓに対して傾斜角度θだけ傾斜させることを特徴としている。他の構成については、一例や他例の構成や更にこれらの変形例の構成と同様である。図７（ｂ）、（ｃ）には比較例として傾斜角度θを設けていない場合を示しているが、図７（ｂ）の如く、傾斜角度θがない場合に測定中に表示内容を見ようとすれば前かがみの無理な姿勢を強いられ、血圧測定精度にも悪影響を及ぼす。また、図７（ｃ）の如く別体装置２を離して使うと表示部１３を斜めから見ることとなり、表示内容が見難くなる。これに対して傾斜角度θを設ければ、本体測定装置１とは離した位置でも表示部１３を正面から見ることができ、血圧測定精度に悪影響を及ぼすことのない自然な姿勢で、且つ表示内容を確認しながら血圧測定動作を行うことができる。
【００３０】
図８には更に別の変形例が示してあるが、これは傾斜角度θを調節可能に設けた変形例である。図８（ａ）に示すものは、表示部１３を回動可能に設けるとともに、この回動を操作して一定範囲内（例えば３０度〜６０度）で傾斜角度θを調整する角度調整つまみ２２を備えている。図８（ｂ）に示すものは、別体装置２において表示部１３を設けてある面と反対側の面（即ち裏面）に、上下左右の全方向に回動自在となったスタンド部２３を接続させたものである。
【００３１】
また図８（ｃ）に示すものは、別体装置２は平板状に設けるとともに、その両側面にコ字状のスタンド部２４を支軸２５中心に回動自在に設けたものである。使用時にはスタンド部２３を立てることで表示部１３に傾斜角度θを設定することができ、非使用時にはスタンド部２４を寝かせて側面視にて別体装置２と重なる位置に回動させる（図中の鎖線）ことで、装置全体の外形が平板状となるように収納させることができる。即ち、携行時には薄型コンパクトになる構造である。
【００３２】
また図８（ｄ）に示すものは、別体装置２の表示部１３を支軸２６中心に回動自在に設けるとともに、非使用時にはこの表示部１３が前方に回動して二つ折りに収納される（図中の鎖線）ものである。これにより、携行時には装置全体の長さが略半分となる。なお、使用時の表示部１３も角度調整自在となる。
【００３３】
また図９に示すまた更に別の変形例は、液晶画面である表示部１３の視野角を調整するための視野角調整スイッチ２７を設けた例である。このスライド型の視野角調整スイッチ２７を奥方にスライドさせれば、そのスライド量に応じた分だけ視野角が上がり、手前側にスライドさせればそのスライド量に応じた分だけ視野角が下がるように設定している。このような視野角調整によれば、表示部１３を回動させる機構が不要となるため耐久性が向上する。
【図面の簡単な説明】
【００３４】
【図１】本発明の実施形態における一例の血圧測定装置全体の外観図である。
【図２】同上の血圧測定装置全体のブロック図である
【図３】同上の血圧測定装置のオン信号の送受信を説明するためのタイミングチャートである。
【図４】同上の血圧測定装置の動作を示すフローチャートであり、（ａ）は血圧測定時の動作、（ｂ）は別体装置のみ携行時の動作を示している。
【図５】本発明の実施形態における他例の血圧測定装置のオン信号の送受信を説明するためのタイミングチャートである。
【図６】（ａ）〜（ｃ）は、変形例の説明図である。
【図７】また別の変形例の説明図であり、（ａ）はこの変形例を用いた血圧測定の様子、（ｂ）、（ｃ）は比較例を用いた血圧測定の様子を示している。
【図８】（ａ）〜（ｄ）は、更に別の変形例の説明図である。
【図９】また更に別の変形例の説明図である。
【符号の説明】
【００３５】
１  本体測定装置
２  別体装置
３  カフ
５  加圧手段
８  制御手段
１０  電源スイッチ
１１  通信手段
１２  通信手段
１３  表示部
１７  電源スイッチ
２０  本体操作部
【図１】
2008148766.tif 000003
【図２】
2008148766.tif 000004
【図３】
2008148766.tif 000005
【図４】
2008148766.tif 000006
【図５】
2008148766.tif 000007
【図６】
2008148766.tif 000008
【図７】
2008148766.tif 000009
【図８】
2008148766.tif 000010
【図９】
2008148766.tif 000011